(57)【要約】      （修正有）【課題】スマートユーティリティメータを利用して、ホームセキュリティサービスおよび／またはエネルギー管理を提供するシステム、方法、装置を提供する。【解決手段】スマートユーティリティメータは、少なくとも１つのローカルネットワークインターフェースと、１つのトランシーバと、１つのプロセッサとを含む。ローカルネットワークインターフェースは、１つまたは複数のセキュリティデバイスからセキュリティ監視データを受信するように構成される。トランシーバは、受信したセキュリティ監視データに関連付けられたメッセージを、ワイドエリアネットワークを介して、ユーザデバイス、またはセキュリティ監視センターに伝達するように構成される。プロセッサは、受信したセキュリティ監視データの一部に基づいてメッセージを生成し、出力するようトランシーバに指示するように構成される。【選択図】図１
2012142943.tif 000002
【特許請求の範囲】
【請求項１】
１つまたは複数のセキュリティデバイスからセキュリティ監視データを受信するように構成された、少なくとも１つのローカルネットワークインターフェースと、
受信したセキュリティ監視データに関連付けられた１つまたは複数のメッセージを、ワイドエリアネットワークを介して、（ｉ）ユーザデバイス、または（ｉｉ）セキュリティ監視センターのうちの少なくとも１つに伝達するように構成された、少なくとも１つのトランシーバと、
少なくとも部分的に前記受信したセキュリティ監視データに基づいて、前記１つまたは複数のメッセージを生成し（ｉ）、前記１つまたは複数のメッセージを出力するよう前記少なくとも１つのトランシーバに指示する（ｉｉ）ように構成された、少なくとも１つのプロセッサと
を含むユーティリティメータ。
【請求項２】
前記少なくとも１つのプロセッサが、前記受信したセキュリティ監視データの評価に基づいて、セキュリティアラートを生成し（ｉ）、前記セキュリティアラートを前記１つまたは複数のメッセージのうちの少なくとも１つの中に組み込む（ｉｉ）ようにさらに構成された、請求項１記載のユーティリティメータ。
【請求項３】
前記セキュリティ監視データが、構造物内の１つまたは複数のエリアに関連付けられた存在検出データを含み、
前記少なくとも１つのプロセッサが、前記存在検出データの少なくとも一部に基づいて、（ｉ）前記１つまたは複数のエリア、または（ｉｉ）前記１つまたは複数のエリアに関連付けられた１つまたは複数の電気デバイスのうちの少なくとも１つへの電力の提供を制御するようにさらに構成された、請求項１記載のユーティリティメータ。
【請求項４】
前記少なくとも１つのプロセッサが、（ｉ）電力信号の供給、または（ｉｉ）供給される電力の量のうちの１つを制御することによって、前記電力の提供を制御するように構成された、請求項３記載のユーティリティメータ。
【請求項５】
前記少なくとも１つのローカルネットワークインターフェースが、（ｉ）Ｈｏｍｅ  Ａｒｅａ  Ｎｅｔｗｏｒｋ（ＨＡＮ）インターフェース、（ｉｉ）ＺｉｇＢｅｅインターフェース、（ｉｉｉ）ラジオ周波数ネットワークインターフェース、（ｉｖ）シリアル通信リンクインターフェース、または（ｖ）ローカルエリアネットワークインターフェースのうちの少なくとも１つを含む、請求項１記載のユーティリティメータ。
【請求項６】
前記１つまたは複数のセキュリティデバイスが、（ｉ）ホームセキュリティシステム、（ｉｉ）煙探知器、（ｉｉｉ）存在検出センサ、（ｉｖ）アクセス制御デバイス、（ｖ）機械式安全スイッチ、（ｖｉ）接触スイッチ、（ｖｉｉ）振動センサのうちの少なくとも１つを含む、請求項１記載のユーティリティメータ。
【請求項７】
前記少なくとも１つのトランシーバが、（ｉ）Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）トランシーバ、（ｉｉ）Ｇｅｎｅｒａｌ  Ｐａｃｋｅｔ  Ｒａｄｉｏ  Ｓｅｒｖｉｃｅ（ＧＰＲＳ）トランシーバ、（ｉｉｉ）Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）トランシーバ、（ｉｖ）Ｅｔｈｅｒｎｅｔトランシーバ、（ｖ）３Ｇトランシーバ、（ｖｉ）電力線キャリア通信（ＰＬＣＣ）トランシーバ、または（ｖｉｉ）ラジオ周波数（ＲＦ）メッシュトランシーバのうちの少なくとも１つを含む、請求項１記載のユーティリティメータ。
【請求項８】
前記１つまたは複数のメッセージが、（ｉ）ショートメッセージサービス（ＳＭＳ）メッセージ、（ｉｉ）電子メールメッセージ、または（ｉｉｉ）音声メッセージのうちの少なくとも１つを含む、請求項１記載のユーティリティメータ。
【請求項９】
前記少なくとも１つのプロセッサが、電源喪失事象を検出し（ｉ）、検出に関連付けられたアラートメッセージを生成し（ｉｉ）、生成されたアラートメッセージを出力するよう前記少なくとも１つのトランシーバに指示する（ｉｉｉ）ようにさらに構成された、請求項１記載のユーティリティメータ。
【請求項１０】
電源喪失事象の間に前記ユーティリティメータに電力を提供するように構成された、少なくとも１つの電源供給部をさらに含む、請求項１記載のユーティリティメータ。
【請求項１１】
前記少なくとも１つの電源供給部が、（ｉ）バッテリ、（ｉｉ）電気二重層キャパシタ、または（ｉｉｉ）スーパーキャパシタのうちの少なくとも１つを含む、請求項１０記載のユーティリティメータ。
【請求項１２】
ホームセキュリティサービスを提供するための方法であって、
少なくとも１つのローカルネットワークを介して、１つまたは複数のセキュリティデバイスから、ユーティリティメータにより、セキュリティ監視データを受信するステップと、
受信したセキュリティ監視データの少なくとも一部に基づいて、前記ユーティリティメータにより、１つまたは複数のセキュリティメッセージを生成するステップと、
前記ユーティリティメータにより、ワイドエリアネットワークを介して、（ｉ）ユーザデバイス、または（ｉｉ）セキュリティ監視センターのうちの少なくとも１つに、１つまたは複数の生成されたメッセージを伝達するステップと
を含む方法。
【請求項１３】
前記受信したセキュリティ監視データの評価に基づいて、前記ユーティリティメータにより、セキュリティアラートを生成するステップをさらに含み、
１つまたは複数のセキュリティメッセージを生成するステップが、生成されたセキュリティアラートの識別子を含む１つまたは複数のメッセージを生成するステップを含む、
請求項１２記載の方法。
【請求項１４】
セキュリティ監視データを受信するステップが、構造物内の１つまたは複数のエリアに関連付けられた存在検出データを受信するステップを含み、
前記方法が、
受信した存在検出データの少なくとも一部に基づいて、（ｉ）前記１つまたは複数のエリア、または（ｉｉ）前記１つまたは複数のエリアに関連付けられた１つまたは複数の電気デバイスのうちの少なくとも１つへの電力の提供を制御するステップ
をさらに含む、請求項１２記載の方法。
【請求項１５】
少なくとも１つのローカルネットワークを介してセキュリティ監視データを受信するステップが、（ｉ）Ｈｏｍｅ  Ａｒｅａ  Ｎｅｔｗｏｒｋ（ＨＡＮ）インターフェース、（ｉｉ）ＺｉｇＢｅｅインターフェース、（ｉｉｉ）ラジオ周波数インターフェース、（ｉｖ）シリアル通信リンクインターフェース、または（ｖ）ローカルエリアネットワークインターフェースのうちの少なくとも１つを介してセキュリティ監視データを受信するステップを含む、請求項１２記載の方法。
【請求項１６】
セキュリティ監視データを受信するステップが、（ｉ）ホームセキュリティシステム、（ｉｉ）煙探知器、（ｉｉｉ）存在検出センサ、（ｉｖ）アクセス制御デバイス、（ｖ）機械式安全スイッチ、（ｖｉ）接触スイッチ、または（ｖｉｉ）振動センサのうちの少なくとも１つからセキュリティ監視データを受信するステップを含む、請求項１２記載の方法。
【請求項１７】
前記１つまたは複数の生成されたメッセージを伝達するステップが、（ｉ）Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）トランシーバ、（ｉｉ）Ｇｅｎｅｒａｌ  Ｐａｃｋｅｔ  Ｒａｄｉｏ  Ｓｅｒｖｉｃｅ（ＧＰＲＳ）トランシーバ、（ｉｉｉ）Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）トランシーバ、（ｉｖ）Ｅｔｈｅｒｎｅｔトランシーバ、（ｖ）３Ｇトランシーバ、（ｖｉ）電力線キャリア通信（ＰＬＣＣ）トランシーバ、または（ｖｉｉ）ラジオ周波数（ＲＦ）メッシュトランシーバうちの少なくとも１つを利用して前記１つまたは複数のメッセージを伝達するステップを含む、請求項１２記載の方法。
【請求項１８】
１つまたは複数の生成されたメッセージを伝達するステップが、（ｉ）ショートメッセージサービス（ＳＭＳ）メッセージ、（ｉｉ）電子メールメッセージ、または（ｉｉｉ）音声メッセージのうちの少なくとも１つを伝達するステップを含む、請求項１２記載の方法。
【請求項１９】
前記ユーティリティメータにより、電源喪失事象を検出するステップと、
前記ユーティリティメータにより、検出された電源喪失事象に関連付けられたアラートメッセージを生成するステップと、
前記ユーティリティメータにより、（ｉ）前記ユーザデバイス、または（ｉｉ）前記セキュリティ監視センターのうちの少なくとも１つに、生成されたアラートメッセージを伝達するステップと
をさらに含む、請求項１２記載の方法。
【請求項２０】
場所内に置かれ、存在検出データを収集するように構成された、１つまたは複数の動き存在検出感知デバイスと、
ローカルエリアネットワークを介して前記存在検出データの少なくとも一部を受信し（ｉ）、ワイドエリアネットワークを介し、受信した存在検出データに基づいて、１つまたは複数の外部デバイスに、１つまたは複数のセキュリティメッセージを伝達し（ｉｉ）、前記受信した存在検出データに基づいて、前記場所への電力の提供を制御する（ｉｉｉ）ように構成された、ユーティリティメータと
を含むシステム。
【発明の詳細な説明】
【技術分野】
【０００１】
本発明の実施形態は、一般にユーティリティメータに関し、より具体的には、スマートユーティリティメータを利用して、セキュリティサービスおよび／またはエネルギー管理を提供するためのシステム、方法、および装置に関する。
【背景技術】
【０００２】
電気メータなどのユーティリティメータは、１つまたは複数の公益事業サービスの提供を監視するために、一般に住宅および企業で利用されている。近年、幅広い種類のスマートメータおよび高機能メータが開発されて、付加的な消費データの収集を円滑にし、メータと、地域公益企業などの他の要素とのさまざまなネットワーク通信を円滑にしている。スマートメータは、課金目的および停電検出などの幅広い目的のために利用されている。
【０００３】
加えて、幅広いセキュリティデバイスおよびセキュリティシステムが、アクセス制御およびセキュリティ監視サービスを提供するために、住宅内および企業内で利用されている。一般に、従来のセキュリティシステムは、有線の電話回線を介して、または専用の無線デバイスを介して、中央監視システムなどの外部の制御装置と通信する。しかしながら、これらの従来の通信技法は、セキュリティシステムに専用の、有線電話回線または無線チャネルを維持するための月々のサービス料金など、消費者にとっては追加の出費となることが多い。加えて、従来のセキュリティシステムは、監視される構造物内のさまざまな電気負荷および／または電気デバイスへの電力の提供を監視する、または制御することができない。
【発明の概要】
【０００４】
したがって、スマートユーティリティメータを利用して、ホームセキュリティサービスおよび／またはエネルギー管理を提供するためのシステム、方法、および装置が望ましい。
【０００５】
本発明のいくつかの実施形態が、上記のニーズおよび／または問題のうちのいくつか、またはすべてに取り組むことができる。本発明の実施形態は、スマートユーティリティメータを利用してセキュリティサービスを提供するためのシステム、方法、および装置を含むことができる。本発明の一実施形態に従って、ホームセキュリティサービスを提供するように構成されたユーティリティメータが開示される。ユーティリティメータは、少なくとも１つのローカルネットワークインターフェースと、少なくとも１つのトランシーバと、少なくとも１つのプロセッサとを含むことができる。少なくとも１つのローカルネットワークインターフェースは、１つまたは複数のセキュリティデバイスからセキュリティ監視データを受信するように構成されていてもよい。少なくとも１つのトランシーバは、受信したセキュリティ監視データに関連付けられた１つまたは複数のメッセージを、ワイドエリアネットワークを介して、（ｉ）ユーザデバイス、または（ｉｉ）セキュリティ監視センターのうちの少なくとも１つに伝達するように構成されていてもよい。少なくとも１つのプロセッサは、受信したセキュリティ監視データの少なくとも一部に基づいて、１つまたは複数のメッセージを生成し（ｉ）、１つまたは複数のメッセージを出力するよう少なくとも１つのトランシーバに指示する（ｉｉ）ように、構成されていてもよい。
【０００６】
本発明の別の実施形態に従って、ホームセキュリティサービスを提供するための方法が開示される。セキュリティ監視データが、少なくとも１つのローカルネットワークを介して、１つまたは複数のセキュリティデバイスから、ユーティリティメータによって受信されてもよい。受信したセキュリティ監視データの少なくとも一部に基づいて、１つまたは複数のセキュリティメッセージが、ユーティリティメータによって生成されてもよい。１つまたは複数の生成されたメッセージは、ワイドエリアネットワークを介して、（ｉ）ユーザデバイス、または（ｉｉ）セキュリティ監視センターのうちの少なくとも１つに、ユーティリティメータによって伝達されてもよい。
【０００７】
本発明のさらに別の実施形態に従って、ホームセキュリティサービスを提供するためのシステムが開示される。システムは、１つまたは複数の存在検出感知デバイスと、ユーティリティメータとを含むことができる。１つまたは複数の存在検出感知デバイスは、ある場所内に置かれ、存在検出データを収集するように構成されていてもよい。ユーティリティメータは、ローカルエリアネットワークを介して存在検出データの少なくとも一部を受信し（ｉ）、ワイドエリアネットワークを介し、受信した存在検出データに基づいて、１つまたは複数の外部デバイスに、１つまたは複数のセキュリティメッセージを伝達し（ｉｉ）、受信した存在検出データに基づいて、その場所への電力の提供を制御する（ｉｉｉ）ように、構成されていてもよい。
【０００８】
さらなるシステム、方法、装置、特徴、および態様が、本発明のさまざまな実施形態の技法を通して実現される。本発明の他の実施形態および態様は、本明細書において詳細に説明され、特許請求される本発明の一部とみなされる。他の実施形態および態様を、説明および図面を参照して理解することができる。
【０００９】
一般的な用語で本発明をこのように説明してきたが、ここで、添付の図面への参照が行われる。図面は必ずしも縮尺通りに描かれているわけではない。
【図面の簡単な説明】
【００１０】
【図１】本発明の説明のための実施形態に従った、セキュリティサービスの提供を円滑にする１つの例示的なシステムのブロック図である。
【図２】本発明の説明のための実施形態に従った、スマートユーティリティメータを利用してセキュリティサービスを提供するための例示的な方法の流れ図である。
【図３】本発明の説明のための実施形態に従った、スマートユーティリティメータを利用してエネルギー管理サービスを提供するための例示的な方法の流れ図である。
【図４】本発明の説明のための実施形態に従った、電力障害事象の間にスマートユーティリティメータを利用してセキュリティサービスを提供するための例示的な方法の流れ図である。
【発明を実施するための形態】
【００１１】
ここで、本発明のすべての実施形態ではないが、いくつかを示した添付の図面を参照して、本発明の説明のための実施形態を以下でさらに十分に説明する。実際に、本発明は、多くの異なる形態において具体化されてもよく、本明細書で述べる実施形態に限定するように解釈されるべきではない。むしろ、これらの実施形態は、本開示が適用可能な法的要件を満たすように提供される。同様の番号は、全体を通して同様の要素を参照する。
【００１２】
スマートユーティリティメータを利用してセキュリティサービスを提供するためのシステム、方法、および装置が開示される。いくつかの実施形態においては、スマートユーティリティメータが提供されてもよく、ユーティリティメータは、構造物、場所、世帯、住宅、または企業に関連付けられた、任意の数のセキュリティデバイスおよび／またはセキュリティシステムと通信するように構成されていてもよい。たとえば、スマートユーティリティメータは、ホームセキュリティシステムの中央パネルまたは制御装置、任意の数のセキュリティ制御装置、および／または、任意の数のセキュリティセンサおよび／もしくはセキュリティデバイス（たとえば、存在検出器または存在センサ、アクセス制御デバイス、機械式安全スイッチ、接触スイッチ、振動センサなど）と通信するように構成されていてもよい。幅広く好適なローカルエリアネットワークおよび／または通信技法が、ユーティリティメータとさまざまなセキュリティデバイスとの通信を円滑にするために利用されてもよい。たとえば、Ｈｏｍｅ  Ａｒｅａ  Ｎｅｔｗｏｒｋ（「ＨＡＮ」）および／またはＺｉｇＢｅｅアダプタが、ユーティリティメータとさまざまなセキュリティデバイスとの通信を円滑にするために利用されてもよい。この点において、ユーティリティメータは、存在検出データ、アラートメッセージまたはアラームメッセージ、アクセス制御データ、その他などの、幅広いセキュリティ監視データを受信するように構成されていてもよい。
【００１３】
ユーティリティメータがセキュリティ監視データを受信すると、ユーティリティメータは、１つまたは複数のメッセージを生成するために、受信したデータを処理することができ、このメッセージは、ユーティリティメータによって、ユーザデバイスもしくは顧客デバイス、および／または中央セキュリティ監視センターなどの、１つまたは複数のリモートのデバイスまたはシステムに伝達されてもよい。いくつかの実施形態において、ユーティリティメータは、セキュリティシステムまたはセキュリティデバイスから、アラートメッセージおよび／または他のメッセージを受信することができ、ユーティリティメータは、受信したメッセージを、リモートのデバイスまたはシステムに伝達するために、フォーマットすることができる。他の実施形態において、ユーティリティメータは、受信したセキュリティ監視データを解析し、セキュリティ監視データの解析に基づいて、アラートメッセージおよび／または他のタイプのメッセージを生成することができる。ユーティリティメータは、任意の数の好適なワイドエリアネットワークおよび／または通信技法を利用して、１つまたは複数のメッセージをリモートのデバイスまたはシステムに伝達するのを円滑にすることができる。たとえば、ユーティリティメータは、電力線ブロードバンド（「ＢＰＬ」）通信を介してメッセージを伝達するように構成された電力線キャリア通信（「ＰＬＣＣ」）トランシーバなどのトランシーバ、またはインターフェースを含むことができる。別の例として、ユーティリティメータは、無線ネットワークまたは移動ネットワークを介してメッセージを伝達するように構成された、Ｇｌｏｂａｌ  Ｓｙｓｔｅｍ  ｆｏｒ  Ｍｏｂｉｌｅ  Ｃｏｍｍｕｎｉｃａｔｉｏｎｓ（「ＧＳＭ（商標）」）トランシーバもしくはＧｅｎｅｒａｌ  Ｐａｃｋｅｔ  Ｒａｄｉｏ  Ｓｅｒｖｉｃｅ（「ＧＰＲＳ」）トランシーバ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（「ＷｉＭＡＸ」）トランシーバ、Ｅｔｈｅｒｎｅｔ（商標）トランシーバ、３Ｇトランシーバ、またはラジオ周波数（「ＲＦ」）メッシュトランシーバなどのトランシーバを含むことができる。必要に応じて、メッセージは、ショートメッセージサービス（「ＳＭＳ」）メッセージ、電子メールメッセージ、音声メッセージ（たとえば、ボイスメールなど）、または他の好適なタイプのメッセージ（たとえば、生成された電子ファイルおよび／またはリポート）として伝達されてもよい。この点において、セキュリティデータの通信が、ユーティリティメータによって円滑にされてもよい。したがって、顧客は、セキュリティシステムによって利用される電話回線または専用の移動回線を維持する必要がなくなることになる。
【００１４】
本発明の態様に従って、ある場所内または住宅内の電力の提供を管理するために、ユーティリティメータは、存在検出データおよび／またはアクセス制御データなどのセキュリティ監視データをさらに監視する、または評価することができる。たとえば、ユーティリティメータは、存在検出センサ（たとえば、動きセンサなど）および／または電子ロックから受信したデータに基づいて、構造物内の特定のエリアまたは部屋に人がいないことを判定することができる。判定に基づいて、ユーティリティメータは、そのエリアへの電力の供給を中断する、または変更するよう指示することができる。代替的には、ユーティリティメータは、照明、電化製品、テレビ、空調、および／または暖房ユニット、その他などの、エリア内の１つまたは複数の電力管理デバイスおよび／または電気デバイスに制御信号を伝達して、電気デバイスをオフにするよう指示する、および／または、別の方法で電気デバイスの動作を変更するよう指示することができる。たとえば、照明をオフにすることができる。別の例として、空調ユニットの出力を変更することができる。
【００１５】
加えて、いくつかの実施形態において、ユーティリティメータは、１つまたは複数のバッテリ、または電気二重層キャパシタ（もしくはスーパーキャパシタ）などの１つまたは複数の電源供給部を含む。この点において、ユーティリティメータは、停電または電源喪失事象の場合に、電力供給が可能である。さらに、ユーティリティメータは、電気電力線を介した電源喪失などの電源喪失事象を識別するように構成されていてもよい。識別された電源喪失事象に基づいて、ユーティリティメータは、アラートメッセージを生成し、アラートメッセージを、１つまたは複数のリモートのデバイスおよび／またはシステムに伝達するように構成されていてもよい。
【００１６】
本発明のさまざまな実施形態は、ユーティリティメータを介してセキュリティサービスの提供を円滑にする、１つまたは複数の特殊用途のコンピュータ、システム、および／または特定のマシンを含むことができる。特殊用途のコンピュータまたは特定のマシンは、さまざまな実施形態において、必要に応じて、幅広く異なるソフトウェアモジュールを含むことができる。以下でさらに詳しく説明するように、いくつかの実施形態において、これらのさまざまなソフトウェアコンポーネントを、セキュリティデバイスと１つまたは複数のリモートのデバイスおよび／またはシステムとの通信を円滑にするために、利用することができる。加えて、これらのさまざまなソフトウェアコンポーネントを、配電を管理するために利用することができる。
【００１７】
本明細書で説明する本発明のいくつかの実施形態は、セキュリティサービスを提供する、および／または通信を円滑にする、および／またはセキュリティ信号をルーティングする、技術的効果を有することができる。たとえば、ユーティリティメータは、任意の数のセキュリティデバイスおよび／またはセキュリティセンサから、セキュリティ監視データを受信することができ、ユーティリティメータは、セキュリティメッセージを生成し、および／または、セキュリティメッセージを任意の数のリモートの監視センターおよび／またはユーザデバイスに伝達することができる。この点において、顧客が通信を円滑にするための電話回線または専用の移動デバイスを維持するのを必要とせずに、セキュリティサービスが提供されてもよい。本発明のいくつかの実施形態は、セキュリティ監視データに基づいて、配電を管理する技術的効果をさらに有することができる。
【００１８】
図１は、本発明の説明のため実施形態に従った、セキュリティサービスの提供を円滑にする１つの例示的なシステム１００のブロック図である。図１に示すシステム１００は、ユーティリティメータ１０５、１つまたは複数のローカルネットワーク１１５もしくはホームネットワークを介して、ユーティリティメータ１０５と通信している１つまたは複数のセキュリティデバイス１１０、および／または、１つまたは複数の他のネットワーク１３０を介して、ユーティリティメータ１０５と通信している１つまたは複数の中央システム１２０および／もしくはユーザデバイス１２５を含むことができる。
【００１９】
ユーティリティメータ１０５は、任意の数の電力線を含む配電グリッドに接続された電気メータなどの、配電システムに接続することができる任意の好適なユーティリティメータであってよい。本開示の目的のために、ユーティリティメータ１０５を電気ユーティリティメータとして説明するが、リモート切断メータ、ガスメータ、水道メータ、その他などの他のタイプのメータが利用されてもよい。単相メータまたは３相メータなどの幅広く好適な電気メータが、さまざまな実施形態において、必要に応じて利用されてもよい。ユーティリティメータ１０５は、関連した場所、住宅、企業、世帯、またはマシンに供給される電気エネルギーの量（たとえば、キロワットアワーなど）、または電力の量を測定するように構成されていてもよい。いくつかの実施形態において、ユーティリティメータ１０５は、従来のメータと比較してより詳しい消費を識別するように構成された、スマートメータまたは高機能メータであってよい。たとえば、スマートユーティリティメータ１０５は、リアルタイムまたはほぼリアルタイムでの読み取り、停電通知、および／または電力特性監視を円滑にすることができる。加えて、必要に応じて、スマートユーティリティメータ１０５は、測定データ、計算値、および／または他の情報を、地域公益企業またはスマートメータデータ処理システムなどの、１つまたは複数の受信先に伝達することができる。
【００２０】
本発明の態様に従って、ユーティリティメータ１０５は、セキュリティサービスの提供をさらに円滑にすることができる。たとえば、ユーティリティ１０５は、１つまたは複数のセキュリティデバイス１１０からセキュリティ監視データを受信するように構成されていてもよく、ユーティリティメータ１０５は、セキュリティ監視データに関連付けられた１つまたは複数のメッセージを、中央システム１２０および／またはユーザデバイス１２５に伝達することができる。加えて、いくつかの実施形態において、ユーティリティメータ１０５は、世帯内の１つまたは複数の部屋などの、場所の１つまたは複数のエリアへの電力の提供を制御するように構成されていてもよい。
【００２１】
ユーティリティメータ１０５は、ユーティリティメータの動作、セキュリティサービスの提供、および／またはある場所への電力の提供を円滑にする、任意の数の好適なコンピュータ処理コンポーネントを含むことができる。ユーティリティメータ１０５の中に組み込むことができる好適な処理デバイスの例は、特定用途向け回路、マイクロ制御装置、ミニコンピュータ、他のコンピューティングデバイスなどを含むが、これらに限定はしない。したがって、ユーティリティメータ１０５は、コンピュータ可読命令の実行を円滑にする任意の数のプロセッサ１３２を含むことができる。コンピュータ可読命令を実行することによって、ユーティリティメータ１０５は、ある場所への公益事業サービスの提供、および／または電力の提供を円滑にする特殊用途のコンピュータまたは特定のマシンを含む、または形成することができる。
【００２２】
１つまたは複数のプロセッサ１３２に加えて、ユーティリティメータ１０５は、１つまたは複数のメモリデバイス１３４、および／または、１つまたは複数のネットワークインターフェースおよび／もしくは通信インターフェース１３６を含むことができる。１つまたは複数のメモリデバイス１３４またはメモリは、任意の好適なメモリデバイス、たとえば、キャッシュ、読み取り専用メモリデバイス、ランダムアクセスメモリデバイス、磁気記憶デバイスなどを含むことができる。１つまたは複数のメモリデバイス１３４は、データ、実行可能な命令、および／またはユーティリティメータ１０５によって利用されるさまざまなプログラムモジュール、たとえば、データファイル１３８、オペレーティングシステム（「ＯＳ」）１４０、および／または中央監視システム（「ＣＭＳ」）モジュール１４２を記憶することができる。データファイル１３８は、たとえば、ユーティリティメータ１０５の動作に関連付けられた記憶されたデータ、ユーティリティメータ１０５によって行われた測定および／または読み取りに関連付けられた記憶されたデータ、セキュリティデバイス１１０から受信した記憶されたセキュリティ監視データ、記憶されたセキュリティメッセージおよび／もしくはセキュリティアラート、および／または、記憶された電力管理データおよび／もしくは配電データを含むことができる。ＯＳ１４０は、ユーティリティメータ１０５の全般的な動作を円滑にする、および／または制御する、実行可能な命令および／またはプログラムモジュールを含むことができる。たとえば、ＯＳ１４０は、プロセッサ１３２により、他のソフトウェアプログラムおよび／またはプログラムモジュールの実行を円滑にすることができる。
【００２３】
ＣＭＳモジュール１４２またはＣＭＳアプリケーションは、セキュリティ監視データを受信し、受信したセキュリティ監視データの少なくとも一部を処理して、１つまたは複数のセキュリティメッセージを、中央システム１２０および／またはユーザデバイス１２５などの任意の数の受信先に伝達することを指示するように構成された、好適なソフトウェアモジュールであってよい。いくつかの実施形態において、必要に応じて、ＣＭＳモジュール１４２は、受信したセキュリティ監視データの解析に基づいて、世帯もしくは他の場所内の１つまたは複数のエリアへの、および／または、世帯もしくは他の場所内に置かれたデバイスへの電力の提供をさらに円滑にすることができる。いくつかの実施形態において、ＣＭＳモジュール１４２を、ユーティリティメータ１０５の中に組み込むことができる。他の実施形態においては、ＣＭＳモジュール１４２を、ユーティリティメータ１０５と通信している別のデバイスまたはシステムの中に組み込むことができる。
【００２４】
動作において、ＣＭＳモジュール１４２は、セキュリティデバイス１１０によって生成された、さまざまな測定値、アラート、および／またはアラームなどのセキュリティ監視データを受信することができる。たとえば、Ｈｏｍｅ  Ａｒｅａ  Ｎｅｔｗｏｒｋ（「ＨＡＮ」）インターフェース、ＺｉｇＢｅｅインターフェースおよび／もしくはＺｉｇＢｅｅアダプタ、ラジオ周波数（「ＲＦ」）インターフェース、シリアル通信リンクインターフェース、ローカルエリアネットワークインターフェース、および／または有線インターフェースなどの、ユーティリティメータに関連付けられた１つまたは複数のネットワークインターフェース１３６が、任意の数のローカルネットワークまたはホームネットワーク１１５を介して、セキュリティデバイス１１０からのセキュリティ監視データを受信することができる。受信したセキュリティ監視データを次いで、ＣＭＳモジュール１４２に提供することができる。ＣＭＳモジュール１４２は、１つまたは複数の中央システム１２０（たとえば、リモートのセキュリティ監視システムなど）、および／またはユーザデバイス１２５（たとえば、移動デバイスなど）に伝達するためのセキュリティメッセージを生成する、および／またはフォーマットするように構成されていてもよい。いくつかの実施形態において、ＣＭＳモジュール１４２は、セキュリティ監視データの少なくとも一部を利用してセキュリティメッセージを生成することができる。たとえば、ＣＭＳモジュール１４２は、動き検出器または他のデバイスから受信したセキュリティ監視データを解析する、または評価することができ、解析に基づいて、ＣＭＳモジュール１４２は、１つまたは複数のセキュリティアラート状態またはアラーム状態を識別する。別の例として、ＣＭＳモジュール１４２は、ローカルセキュリティシステム（たとえば、世帯内に置かれたセキュリティパネル）からアラートおよび／または他のデータを受信することができ、ＣＭＳモジュール１４２は、中央システム１２０および／またはユーザデバイス１２５に伝達するために、受信したアラートおよび／またはデータをフォーマットすることができる。
【００２５】
本発明のさまざまな実施形態において、必要に応じて、ショートメッセージサービス（「ＳＭＳ」）メッセージ、電子メールメッセージ、音声メッセージまたはオーディオメッセージ（たとえば、ボイスメールメッセージ、録音されたアラートメッセージなど）、ソーシャルメディアサイトを介して伝達されるメッセージ、その他などの幅広い種類のセキュリティメッセージが、ＣＭＳモジュール１４２によって生成される、および／またはフォーマットされてもよい。ＣＭＳモジュール１４２によってセキュリティメッセージが生成される、および／またはフォーマットされると、ＣＭＳモジュール１４２は、任意の数の好適なネットワーク１３０を介した、ユーティリティメータ１０５によるセキュリティメッセージの出力および伝達を指示することができる。たとえば、ＣＭＳモジュール１４２は、ユーティリティメータ１０５の中に組み込まれた、Ｇｌｏｂａｌ  Ｓｙｓｔｅｍ  ｆｏｒ  Ｍｏｂｉｌｅ  Ｃｏｍｍｕｎｉｃａｔｉｏｎｓ（「ＧＳＭ（商標）」）トランシーバ、Ｇｅｎｅｒａｌ  Ｐａｃｋｅｔ  Ｒａｄｉｏ  Ｓｅｒｖｉｃｅ（「ＧＰＲＳ」）トランシーバ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（「ＷｉＭＡＸ」）トランシーバ、Ｅｔｈｅｒｎｅｔ（商標）トランシーバ、３Ｇトランシーバ、またはラジオ周波数（「ＲＦ」）メッシュトランシーバを利用してメッセージを転送するよう、ユーティリティメータ１０５に指示することができる。別の例として、ＣＭＳモジュール１４２は、好適な電力線キャリア通信（「ＰＬＣＣ」）トランシーバを利用する電力線ブロードバンド（「ＢＰＬ」）通信を利用してメッセージを転送するよう、ユーティリティメータ１０５に指示することができる。
【００２６】
加えて、いくつかの実施形態において、ＣＭＳモジュール１４２は、生成したメッセージまたはアラートのための１つまたは複数の視覚的インジケータを生成する、および／または出力するよう、ユーティリティメータ１０５に指示することができる。たとえば、ＣＭＳモジュール１４２は、スピーカ、１つまたは複数の発光ダイオード（「ＬＥＤ」）、ＬＥＤディスプレイ、液晶ディスプレイ（「ＬＣＤ」）、制御装置ディスプレイユニット、ヒューマンマシンインターフェース、インホームディスプレイ、中央ディスプレイユニット、その他などの、任意の数の関連した出力デバイスを利用してアラート指示を出力するよう、ユーティリティメータ１０５に指示することができる。
【００２７】
いくつかの実施形態において、ＣＭＳモジュール１４２は、世帯もしくは他の場所に関連付けられた任意の数のエリアもしくは部分への、および／または任意の数の関連した電気負荷もしくは電気デバイスへの、電力の提供を制御するようにさらに構成されていてもよい。たとえば、ＣＭＳモジュール１４２は、ある場所の人がいるエリア、および／または人がいないエリアを識別するために、受信した存在検出データ（たとえば、動きセンサデータ）および／またはアクセス制御データ（たとえば、電子的な進入のデータなど）を解析することができる。解析に基づいて、ＣＭＳモジュール１４２は、その場所の人がいないエリア内の、任意の数の電気負荷への電力の提供を変更することができる。たとえは、ＣＭＳモジュール１４２は、照明、および／またはさまざまな機器もしくはデバイス（たとえば、テレビ、空調など）をオフにする、および／または運転調整する（たとえば、空調または暖房器具ユニットの出力を調整するなど）よう指示することができる。この点において、ＣＭＳモジュール１４２は、消費者の公共料金を下げる試みとして、電気および／または他のユーティリティを節約することができる。ＣＭＳモジュール１４２の動作の一例は、図２を参照して、以下でさらに詳しく説明する。
【００２８】
引き続きユーティリティメータ１０５を参照すると、１つまたは複数のネットワークインターフェースまたは通信インターフェース１３６が、ローカルネットワークまたはホームネットワーク（複数可）１１５、およびワイドエリアネットワーク（複数可）１３０などの、任意の数の好適なネットワークへのユーティリティメータ１０５の接続を円滑にすることができる。この点において、ユーティリティメータ１０５は、システム１００の他のコンポーネントからデータを受信し、および／またはシステム１００の他のコンポーネントにデータを伝達することができる。必要に応じて、ユーティリティメータ１０５は、ローカルネットワーク１１５との通信を円滑にする、ＺｉｇＢｅｅアダプタ、ラジオ周波数（「ＲＦ」）トランシーバ、Ｗｉ−Ｆｉトランシーバ、その他などの、任意の数のネットワークカードおよび／またはネットワークインターフェースデバイスをさらに含むことができる。同様に、ユーティリティメータ１０５は、ワイドエリアネットワーク１３０との通信を円滑にする、ＧＳＭ（商標）トランシーバ、ＧＰＲＳトランシーバ、別のセルラ通信デバイス、ＢＰＬアダプタ、任意の数のＥｔｈｅｒｎｅｔ（商標）カード、その他などの、任意の数のネットワークカードおよび／または通信デバイスを含むことができる。
【００２９】
ユーティリティメータ１０５は、一般に、接続された電力グリッドおよび／または電力線から電力を受信することができる。加えて、いくつかの実施形態において、必要に応じて、ユーティリティメータ１０５は、１つまたは複数のバッテリ１４４、および／または１つまたは複数のスーパーキャパシタなどの、任意の数の好適なバックアップ電源供給部を含むことができる。電力障害の場合には、バッテリ１４４または他の電源供給部が、ユーティリティメータ１０５に電力を提供することができる。加えて、ＣＭＳモジュール１４２が電源喪失事象を検出するように構成されていてもよく、ＣＭＳモジュール１４２は、電源喪失事象（たとえば、侵入者によるユーティリティメータへの接続の切断）の検出に基づいて、１つまたは複数のセキュリティメッセージ、または電源喪失指示メッセージを生成するように構成されていてもよい。一旦生成されると、セキュリティメッセージまたは指示メッセージは、任意の数の中央システム１２０および／またはユーザデバイス１２５に伝達されてもよい。この点において、ある程度いたずらがしにくいメータが提供されてもよい。
【００３０】
引き続き図１を参照すると、システムは、任意の数のセキュリティデバイス１１０を含むことができる。セキュリティデバイス１１０は、セキュリティ監視データを収集し、セキュリティ監視データの少なくとも一部を、１つまたは複数のローカルネットワーク１１５を介してユーティリティメータ１０５に提供するように構成されていてもよい。必要に応じて、幅広い種類のセキュリティデバイスが、ユーティリティメータ１０５と直接的に、または間接的に通信していてもよい。これらのセキュリティデバイス１１０は、侵入および財産保護デバイス、存在検出センサ、動きセンサ、セキュリティカメラ、アクセス制御デバイス（たとえば、電子ロック、キーカードアクセスデバイスなど）、煙探知器、一酸化炭素検出器、機械式安全スイッチ、マシン保護デバイス、接触スイッチ、振動センサ、デジタルセキュリティモジュール、ホームセキュリティシステム（たとえば、セキュリティパネルなど）、および／または他のデバイスを含むが、これらに限定はしない。
【００３１】
いくつかの実施形態において、１つまたは複数のセンサ１５０または他のデバイスが、ローカルネットワーク１１５を介して、ユーティリティメータ１０５と直接通信していてもよい。他の実施形態においては、１つまたは複数のセンサ１５２、１５４、または他のデバイスが、１つまたは複数の有線接続または無線接続を介して、デジタルセキュリティモジュール１５６と通信することができる。デジタルセキュリティモジュール１５６は、１つまたは複数のセンサもしくは他のデバイスからのデータの収集、および／またはさまざまなセンサもしくは他のデバイスの制御を円滑にする、任意の好適なモジュールであってよい。たとえば、デジタルセキュリティモジュール１５６は、アクセス制御システムのための制御装置、ある場所のエリアに関連付けられたデータ収集モジュールなどを含むことができる。１つのセキュリティ監視データがデジタルセキュリティモジュール１５６によって収集され、デジタルセキュリティモジュール１５６は、収集したデータを処理する、および／または評価することができる。加えて、デジタルセキュリティモジュール１５６は、データの少なくとも一部をユーティリティメータ１０５に伝達することを指示することができる。
【００３２】
さらに他の実施形態においては、１つまたは複数のセンサ１５８、１６０、１６４、および／またはデジタルセキュリティモジュール１６２が、ある場所に関連付けられた中央アラームパネルなどのホームセキュリティシステム１６６と通信していてもよい。たとえば、１つまたは複数のデバイス１５８、１６０は、ホームセキュリティシステム１６６と通信しているデジタルセキュリティモジュール１６２と通信することができる。別の例として、１つまたは複数のデバイス１６４が、ホームセキュリティシステム１６６と直接通信することができる。ホームセキュリティシステム１６６との通信は、任意の数の好適な有線接続および／または無線接続および／または通信技法を介して、円滑にされてもよい。ホームセキュリティシステム１６６は、セキュリティ監視データを収集し、解析し、および／または評価することができる。必要に応じて、ホームセキュリティシステム１６６は、セキュリティ監視データの解析に基づいて、たとえば許可されていない進入のアラートなどの、さまざまなアラートおよび／または他のメッセージを生成することができる。ホームセキュリティシステム１６６は次いで、収集したデータおよび／または生成したアラートを、ローカルネットワーク１１５を介してユーティリティメータ１０５に伝達することができる。
【００３３】
必要に応じて、ホームセキュリティシステム１６６および／またはデジタルセキュリティモジュール１５６、１６２などのいくつかのセキュリティデバイス１１０は、セキュリティ監視データの収集、およびユーティリティメータへのデータおよび／またはアラートの伝達を円滑にする、好適なプロセッサ駆動のデバイスであってよい。したがって、いくつかのセキュリティデバイス１１０は、任意の数のプロセッサ、メモリデバイス、および／または通信インターフェースを含むことができる。これらのコンポーネントは、ユーティリティメータ１０５に関連して上で説明したコンポーネントと類似していてもよい。
【００３４】
１つまたは複数のローカルネットワーク１１５は、ユーティリティメータ１０５とセキュリティデバイス１１０などのシステム１００の他のコンポーネントの通信を円滑にする、任意の数の好適なネットワークを含むことができる。好適なローカルネットワーク１１５の例は、Ｈｏｍｅ  Ａｒｅａ  Ｎｅｔｗｏｒｋ（「ＨＡＮ」）、ＺｉｇＢｅｅ仕様無線パーソナルエリアネットワーク、ラジオ周波数ネットワーク、Ｂｌｕｅｔｏｏｔｈ（登録商標）対応ネットワーク（ＢＬＵＥＴＯＯＴＨ  ＳＩＧ，ＩＮＣ．に所有される登録商標）、任意の好適な無線ネットワーク、および／または任意の好適な有線ネットワークを含むが、これらに限定はしない。
【００３５】
引き続き図１を参照すると、１つまたは複数の中央システム１２０が、ユーティリティメータ１０５と通信していてもよい。中央システム１２０は、セキュリティ会社によって維持されるシステム、および／または電力会社または他の公益企業によって維持されるシステムなどの、中央セキュリティ監視システムであってよい。したがって、中央システム１２０は、生成されたセキュリティアラートおよび／または収集されたセキュリティデータなどの、セキュリティメッセージの受信および処理を円滑にする、任意の数のプロセッサ駆動のデバイスを含むことができる。たとえば、中央システム１２０は、任意の数のパーソナルコンピューティングデバイス、サーバコンピュータ、および／または他のコンピューティングデバイスを含むことができる。中央システム１２０に関連付けられたコンピューティングデバイスは、任意の数のプロセッサ、メモリデバイス、および／または通信インターフェースを含むことができる。これらのコンポーネントは、ユーティリティメータ１０５に関連して上で説明したコンポーネントと類似していてもよい。動作において、中央システム１２０は、セキュリティメッセージを受信し、処理することができる。セキュリティメッセージの処理に基づいて、中央システム１２０は、幅広い制御アクションを取ることができる。たとえば、セキュリティアラートに応答して、警察官が駆けつけることができる。別の例として、中央システム１２０は、監視されている場所に関連付けられた顧客に連絡することができる。加えて、中央システム１２０は、コマンドをユーティリティメータ１０５に伝達するように、および／またはセキュリティメッセージをユーザデバイス１２５に伝達するように構成されていてもよい。
【００３６】
加えて、さまざまな実施形態において、必要に応じて、１つまたは複数のユーザデバイス１２５が、ユーティリティメータ１０５と通信していてもよい。移動デバイス、携帯情報端末、パーソナルコンピュータ、その他などの、任意の数のユーザデバイス１２５が、さまざまな実施形態において、必要に応じて利用されてもよい。中央システム１２０と同様に、ユーザデバイス１２５は、生成されたセキュリティアラート、および／または収集されたセキュリティデータなどの、セキュリティメッセージの受信および処理を円滑にする、任意の数のプロセッサ駆動のデバイスを含むことができる。したがって、ユーザデバイス１２５は、任意の数のプロセッサ、メモリデバイス、および／または通信インターフェースを含むことができる。これらのコンポーネントは、ユーティリティメータ１０５に関連して上で説明したコンポーネントと類似していてもよい。動作において、ユーザデバイス１２５は、ユーティリティメータ１０５から１つまたは複数のセキュリティメッセージを受信する、および／またはメッセージをユーザに提示するように構成されていてもよい。加えて、ユーザデバイス１２５は、ユーザからのコマンド（たとえば、セキュリティシステムを装備する、または装備解除するコマンド、アラートを強化させる要求など）を受信し、受信したコマンドを、中央システム１２０および／またはユーティリティメータ１０５に伝達するように構成されていてもよい。
【００３７】
１つまたは複数のワイドエリアネットワーク１３０は、ユーティリティメータ１０５、中央システム１２０、および／またはユーザデバイスの間の通信を円滑にすることができる。セルラネットワーク、衛星ベースのネットワーク、インターネット、および任意の他のワイドエリアネットワークなどの、幅広く好適なワイドエリアネットワーク１３０が、本発明のさまざまな実施形態において、必要に応じて利用されてもよい。
【００３８】
必要に応じて、本発明の実施形態は、図１に示すコンポーネントよりも多い、または少ないコンポーネントを有するシステム１００を含むことができる。加えて、システム１００のいくつかのコンポーネントを、本発明のさまざまな実施形態において組み合わせることができる。図１のシステム１００は、例としてのみ提供される。
【００３９】
図２は、本発明の説明のための実施形態に従った、スマートユーティリティメータを利用してセキュリティサービスを提供するための１つの例示的な方法２００を示す流れ図である。方法２００は、図１に示したシステム１００などの１つまたは複数のセキュリティシステムに関連付けて利用されてもよい。いくつかの実施形態において、方法２００の動作は、ユーティリティメータの中に組み込まれた、および／またはユーティリティメータと通信している、好適な中央監視システム（「ＣＭＳ」）モジュール、たとえば、図１のユーティリティメータ１０５に関連付けられたＣＭＳモジュール１４２によって実施されてもよい。
【００４０】
方法２００は、ブロック２０５で開始されてよい。ブロック２０５で、図１に示したユーティリティメータ１０５などのスマートユーティリティメータが、ローカルネットワークまたはホームネットワークとインターフェースを取ることができる。たとえば、ユーティリティメータ１０５は、好適なＺｉｇＢｅｅアダプタを利用してローカル無線ネットワークに接続されてもよい。別の例として、ユーティリティメータ１０５は、１つまたは複数の有線接続を利用してローカルネットワークに接続されてもよい。この点において、ユーティリティメータ１０５は、図１に示したデバイス１１０などの任意の数のセキュリティデバイスからセキュリティ監視データを受信するように構成されていてもよい。
【００４１】
ブロック２１０で、セキュリティ監視データおよび／またはセキュリティアラートを、ローカルネットワークを介して、１つまたは複数のセキュリティデバイス１１０（たとえば、ホームセキュリティシステム、デジタルセキュリティモジュール、センサ、検出器など）から受信することができる。本発明のいくつかの実施形態においてはオプションであってもよいブロック２１５で、受信したデータが評価される、および／または処理されてもよい。たとえば、受信したデータは、そのデータの中にセキュリティアラートが含まれているかどうか、または受信したデータに基づいてセキュリティアラートがトリガされるべきかどうか（たとえば、許可されていない進入など）を判定するために、評価されてもよい。
【００４２】
ブロック２２０で、セキュリティアラートがトリガされたかどうか、および／または他のセキュリティデータが１つまたは複数のリモートのデバイスに伝達されるべきかどうかについての判定がなされてもよい。ブロック２２０で、アラートメッセージが生成されていないことが判定されると、動作は、終了するか、ブロック２１０に戻るかのいずれかであってよい。しかしながら、ブロック２２０で、セキュリティアラートがトリガされたことが判定されると、動作はブロック２２５に続くことができる。ブロック２２５で、中央サーバおよび／またはユーザデバイスなどの、１つまたは複数のリモートの受信先に出力するために、１つまたは複数のアラートメッセージを生成する、および／またはフォーマットすることができる。アラートメッセージは次いで、任意の数の好適なトランシーバ、および／またはネットワークインターフェースデバイスを利用して、任意の数のワイドエリアネットワークを介して、ユーティリティメータ１０５によって出力されてもよい。たとえば、アラートメッセージは、ユーティリティメータ１０５に関連付けられたセルラトランシーバ（たとえば、ＧＳＭ（商標）トランシーバ、ＧＰＲＳトランシーバなど）によって受信先に伝達されてもよい。この点において、セキュリティ通信が、ユーティリティメータ１０５によって円滑にされてもよい。動作は次いで、終了するか、ブロック２１０に戻るかのいずれかであってよい。この点において、セキュリティ監視データが、ユーティリティメータ１０５によって継続的に受信される、および／または評価されてもよい。
【００４３】
アラートメッセージの伝達について上で説明したのと同様のやり方で、ステータスメッセージ、および／または収集されたセキュリティ監視データを含むメッセージなどの他のタイプのメッセージが、ユーティリティメータ１０５によって生成され、伝達されてもよい。加えて、必要に応じて、ステータスインジケータおよび／またはアラートインジケータが、ディスプレイのためにユーティリティメータ１０５によって出力されてもよい。
【００４４】
図２の方法２００は、ブロック２２０またはブロック２２５のいずれかの後に終了してもよい。代替的には、図２に示すように、方法２００の動作を繰り返しループにおいて連続して実施することができる。
【００４５】
図３は、本発明の説明のための実施形態に従った、スマートユーティリティメータを利用して電力管理サービスを提供するための例示的な方法３００の流れ図である。方法３００は、図１に示したシステム１００などの１つまたは複数のセキュリティシステムに関連付けて利用されてもよい。いくつかの実施形態において、方法３００の動作は、ユーティリティメータの中に組み込まれた、および／またはユーティリティメータと通信している、好適な中央監視システム（「ＣＭＳ」）モジュール、たとえば、図１のユーティリティメータ１０５に関連付けられたＣＭＳモジュール１４２によって実施されてもよい。
【００４６】
方法３００は、ブロック３０５で開始されてよい。ブロック３０５で、セキュリティシステムに関連付けられた装備機能が有効にされたかどうかについての判定がなされてもよい。言い換えれば、セキュリティシステムが装備されたかどうかについての判定がなされてもよい。加えて、必要に応じて、存在検出データ（たとえば動き検出器データ）および／またはアクセス制御データ（たとえば、セキュアなアクセスポイントデータ）が利用可能であるかどうかについての判定がなされてもよい。ブロック３０５で、セキュリティシステムが装備されていない、および／または存在検出データおよび／もしくはアクセス制御データが利用可能でないことが判定されると、動作は、終了するか、開始状態に戻るかのいずれかであってよい。しかしながら、ブロック３０５で、セキュリティシステムが装備されている、および／または存在検出データおよび／もしくはアクセス制御データが利用可能であることが判定されると、動作はブロック３１０に続くことができる。
【００４７】
ブロック３１０で、存在検出データおよび／またはアクセス制御データを取得することができる。存在検出データおよび／またはアクセス制御データは、世帯または他の場所の人がいるエリアおよび／または人がいないエリアを識別するために、解析される、または評価されてもよい。たとえば、人がいない部屋が、動き検出器から受信したデータに基づいて識別されてもよい。ブロック３１５で、その場所のさまざまなエリアへの、および／または関連した電気デバイスへの電力の提供を、存在検出データおよび／またはアクセス制御データの評価に基づいて制御することができる。たとえば、ユーティリティメータ１０５は、人がいないと識別された部屋またはエリアに置かれた、および／または別の方法でその部屋またはエリアに関連付けられた、照明、ファン、テレビ、および／または他の電気デバイスの電源を切ることができる。必要に応じて、ユーティリティメータ１０５は、ローカルネットワークを介して、電力制御信号または電力制御メッセージを任意の数の電気デバイスに伝達することができる。この点において、ユーティリティメータ１０５は、公共料金を下げる、または削減する試みとして、その場所における電力消費を管理することができる。動作は次いで、終了するか、開始状態に戻るかのいずれかであってよい。
【００４８】
図３の方法３００は、ブロック３０５またはブロック３１５のいずれかの後に終了してもよい。代替的には、図３に示すように、方法３００の動作を、繰り返しループにおいて連続して実施することができる。
【００４９】
図４は、本発明の説明のための実施形態に従った、電力障害事象の間にスマートユーティリティメータを利用してセキュリティサービスを提供するための例示的な方法４００の流れ図である。方法４００は、図１に示したシステム１００などの１つまたは複数のセキュリティシステムに関連付けて利用されてもよい。いくつかの実施形態において、方法４００の動作は、ユーティリティメータの中に組み込まれた、および／またはユーティリティメータと通信している、好適な中央監視システム（「ＣＭＳ」）モジュール、たとえば、図１のユーティリティメータ１０５に関連付けられたＣＭＳモジュール１４２によって実施されてもよい。
【００５０】
方法は、ブロック４０５で開始されてよい。ブロック４０５で、公益事業サービスからの電力（たとえば、電気電力線からの電力）が利用可能であるか、または検出されたかどうかについての判定がなされてもよい。言い換えれば、電源喪失事象が検出されたかどうかについての判定がなされてもよい。ブロック４０５で、公益企業からの電力が検出される、または利用可能であると判定されると、動作は、終了するか、開始状態に戻るかのいずれかであってよい。しかしながら、ブロック４０５で、公益企業からの電力が検出されない、または利用可能でないと判定されると、動作はブロック４１０に続くことができる。
【００５１】
ブロック４１０で、１つまたは複数のバッテリおよび／または１つまたは複数のスーパーキャパシタなどの、１つまたは複数のバックアップ電源から、バックアップ電力を受信することができる。動作は次いで、ブロック４１５に続くことができる。ブロック４１５で、電源喪失アラートメッセージが、生成され、ワイドエリアネットワークを介して１つまたは複数のリモートの受信先に伝達するために、出力されてもよい。必要に応じて、バッテリバックアップ時間をさらに追跡して、周期的に、および／または要求時に伝達することができる。この点において、ユーティリティメータの不正使用を検出する、または識別することができる。加えて、ユーティリティメータ１０５がバックアップ電源によって電力供給されている間に、セキュリティ監視データの受信および／または解析に基づいて生成された任意の他のアラートメッセージが、ユーティリティメータ１０５によって出力されてもよい。動作は次いで、終了するか、開始状態に戻るかのいずれかであってよい。
【００５２】
図４の方法４００は、ブロック４０５またはブロック４１５のいずれかの後に終了してもよい。代替的には、図４に示すように、方法４００の動作を、繰り返しループにおいて連続して実施することができる。
【００５３】
図２〜４の方法２００、３００、４００において説明し、示した動作は、本発明のさまざまな実施形態において、必要に応じて、任意の好適な順番で実行される、または実施されてもよい。加えて、いくつかの実施形態において、動作の少なくとも一部が並行して実行されてもよい。さらに、いくつかの実施形態において、図２〜４で説明した動作よりも少ない、または多い動作が実施されてもよい。必要に応じて、方法２００、３００、４００で述べた動作は、ある場所が監視されるとき、ループで実施されてもよい。
【００５４】
本発明を、本発明の例示的な実施形態に従ったシステム、方法、装置、および／またはコンピュータプログラム製品のブロック図および流れ図を参照して、上で説明した。ブロック図および流れ図の１つまたは複数のブロック、およびブロック図および流れ図のブロックの組合せは、それぞれ、コンピュータ実行可能プログラム命令によって実装できることが理解されるであろう。同様に、ブロック図および流れ図のいくつかのブロックは、本発明のいくつかの実施形態に従って、必ずしも提示された順番で実施される必要がないことがあり、または必ずしもまったく実施される必要がないことがある。
【００５５】
これらのコンピュータ実行可能プログラム命令は、汎用コンピュータ、特殊用途コンピュータ、プロセッサ、または他のプログラマブルデータ処理装置などにロードされて特定のマシンを生み出し、それにより、コンピュータ、プロセッサ、または他のプログラマブルデータ処理装置上で実行される命令が、流れ図の１つまたは複数のブロックで指定された１つまたは複数の機能を実装するための手段を作成することができる。コンピュータまたは他のプログラマブルデータ処理装置に特定のやり方で機能するよう指示することができるこれらのコンピュータプログラム命令はまた、コンピュータ可読メモリに記憶され、それにより、コンピュータ可読メモリに記憶された命令が、流れ図の１つまたは複数のブロックで指定された１つまたは複数の機能を実装する命令手段を含む製造物品を生み出すことができる。例として、本発明の実施形態は、コンピュータ可読プログラムコードまたはプログラム命令がその中に組み入れられたコンピュータ使用可能媒体を含むコンピュータプログラム製品を提供することができ、前記コンピュータ可読プログラムコードは、流れ図の１つまたは複数のブロックで指定された１つまたは複数の機能の実装を実行するようになされている。コンピュータプログラム命令はまた、コンピュータまたは他のプログラマブルデータ処理装置にロードされて、コンピュータまたは他のプログラマブル装置上で一連の演算要素またはステップを実施させて、コンピュータ実装によるプロセスを生み出し、それにより、コンピュータまたは他のプログラマブル装置上で実行される命令が、流れ図の１つまたは複数のブロックで指定された機能の実装するための要素またはステップを提供することができる。
【００５６】
したがって、ブロック図および流れ図のブロックは、指定された機能を実施するための手段の組合せ、指定された機能を実施するための要素またはステップの組合せ、および指定された機能を実施するためのプログラム命令手段をサポートする。ブロック図および流れ図の各ブロック、ならびにブロック図および流れ図のブロックの組合せは、指定された機能、要素、もしくはステップを実施する特殊用途のハードウェアベースのコンピュータシステム、または特殊用途のハードウェアとコンピュータ命令との組合せによって、実装可能であることがまた理解されるであろう。
【００５７】
現在のところ最も実用的とみなされるものと、さまざまな実施形態とに関連して、本発明を説明してきたが、本発明は、開示された実施形態には限定されず、それとは反対に、添付の特許請求の範囲の趣旨および範囲内に含まれるさまざまな修正形態および均等な構成を対象とすることを意図することを理解するべきである。
【００５８】
本明細書は、最良の形態を含む例を使用して本発明を開示し、あらゆる当業者が、任意のデバイスまたはシステムを作成し、使用し、任意の組み込まれた方法を実施することを含んで、本発明を実践することもまた可能にする。本発明の特許可能な範囲は、特許請求の範囲において定義され、当業者が思いつく他の例を含むことができる。そのような他の例は、それらが特許請求の範囲の文字通りの言語と異ならない構造的要素を有する場合、または、それらが特許請求の範囲の文字通りの言語とわずかな違いを伴う均等な構造的要素を含む場合に、特許請求の範囲内であることを意図する。
【符号の説明】
【００５９】
１００  システム
１０５  ユーティリティメータ
１１０  セキュリティデバイス（複数可）
１１５  ローカルネットワークまたはホームネットワーク（複数可）
１２０  中央システム（複数可）
１２５  ユーザデバイス（複数可）
１３０  ネットワーク（複数可）
１３２  プロセッサ（複数可）
１３４  メモリデバイス（複数可）
１３６  ネットワークインターフェース／通信インターフェース（複数可）
１３８  データファイル
１４０  オペレーティングシステム
１４２  中央監視システムモジュール
１４４  バッテリ
１５０  センサ（複数可）またはデバイス（複数可）
１５２  センサ（複数可）またはデバイス（複数可）
１５４  センサ（複数可）またはデバイス（複数可）
１５６  デジタルセキュリティモジュール
１５８  センサ（複数可）またはデバイス（複数可）
１６０  センサ（複数可）またはデバイス（複数可）
１６２  デジタルセキュリティモジュール
１６４  センサ（複数可）またはデバイス（複数可）
１６６  ホームセキュリティシステム
【図１】
2012142943.tif 000003
【図２】
2012142943.tif 000004
【図３】
2012142943.tif 000005
【図４】
2012142943.tif 000006
【外国語明細書】
2012142943000001.pdf